(57)【要約】      （修正有）【課題】ライセンスランプからの光をライセンスプレートに確実に照射しつつ、バンパ本体への異物の混入を好適に防ぐことが可能な車両用リアバンパを提供することを目的とする。【解決手段】本発明にかかる車両用リアバンパの構成は、ライセンスランプ１２０と、車幅方向に長手のバンパ本体１１０と、バンパ本体の一部が車両前方に奥まるようにして形成されライセンスプレートが取り付けられるプレート固定部と、プレート固定部の上壁に形成された開口と、プレート固定部の上壁の前端から開口の上に張り出しライセンスランプが固定されるランプ固定部１３２と、ランプ固定部の車幅方向の両端から連続していて開口の車幅方向外側まで延びる一対の第１遮蔽部１３４であって、一対の第１遮蔽部の後端は開口の前後幅の中央よりも後方に位置する一対の第１遮蔽部と、バンパ本体からランプ固定部に向かって延びる突形状部とを含むことを特徴とする。【選択図】図３
2020175861.tif 000002
【特許請求の範囲】
【請求項１】
車両のライセンスプレートに光を照射するライセンスランプを含む車両用リアバンパにおいて、
車両後端部に固定され車幅方向に長手のバンパ本体と、
前記バンパ本体の一部が車両前方に奥まるようにして形成され前記ライセンスプレートが取り付けられるプレート固定部と、
前記プレート固定部の上壁に形成された開口と、
前記プレート固定部の上壁の前端から前記開口の上に張り出し前記ライセンスランプが固定されるランプ固定部と、
前記ランプ固定部の車幅方向の両端から連続していて前記開口の車幅方向外側まで延びる一対の第１遮蔽部であって、該一対の第１遮蔽部の後端は前記開口の前後幅の中央よりも後方に位置する一対の第１遮蔽部と、
前記バンパ本体から前記ランプ固定部および前記第１遮蔽部に向かって車両前後方向に延びる突形状部とを含むことを特徴とする車両用リアバンパ。
【請求項２】
前記ランプ固定部は前記一対の第１遮蔽部よりも上方に位置し、
当該車両用リアバンパは、
前記ランプ固定部の車幅方向の両端から車幅方向外側にゆくほど下方に傾斜しながら前記一対の第１遮蔽部につながる一対の傾斜部と、
前記一対の第１遮蔽部の車幅方向外側の縁から上方に向かって延びる一対の縦壁とを含むことを特徴とする請求項１に記載の車両用リアバンパ。
【請求項３】
当該車両用リアバンパは、
前記一対の縦壁それぞれの上縁から車幅方向外側に向かって延びる一対の横壁と、
前記一対の横壁から下方および前方に延びて前記バンパ本体に接する一対の第２遮蔽部とを含むことを特徴とする請求項２に記載の車両用リアバンパ。
【請求項４】
前記開口の前後幅は、車幅方向の中央において最も大きく、該中央から車幅方向外側に向かうにしたがって徐々に小さくなっていて、
前記開口は、車両後方に向かって凸な山形形状であることを特徴とする請求項１から３のいずれか１項に記載の車両用リアバンパ。
【発明の詳細な説明】
【技術分野】
【０００１】
本発明は、車両用リアバンパに関するものである。
【背景技術】
【０００２】
車両のバンパには、ライセンスプレートおよびそれを照射するライセンスランプが取り付けられる。例えば特許文献１では、バンパ本体のバンパ意匠面の裏面に車幅方向に延びる取付け座を略水平をなすように突出形成し、取付け座にライセンスランプを取付けるようにした車両用バンパのライセンスランプ取付け構造が開示されている。
【０００３】
特許文献１のライセンスランプ取付け構造では、バンパ本体の意匠面側の中央部に略長方形状をなす凹部が凹設されていて、凹部の横壁部に左右一対の照射窓が切り欠き形成されている。またバンパ本体の本体壁の意匠面の裏面に、横壁部と略平行に延びる取付け座が一体形成されていて、取付け座の両端部の照射窓に臨む部分にはランプ支持孔が形成されている。照射窓の下側から挿入されたライセンスランプは支持孔に着脱可能に嵌装されている。
【先行技術文献】
【特許文献】
【０００４】
【特許文献１】特開２０００−００６７１４号公報
【発明の概要】
【発明が解決しようとする課題】
【０００５】
ライセンスランプからの光をライセンスプレートに届かせるためには、特許文献１のようにライセンスランプの下方に照射窓を形成する必要がある。しかしながら、特許文献１のように面積が広い照射窓であると、排気ガス、車両の走行時に巻き上げた砂利、洗車時の水等（以下、異物と称する）が照射窓からバンパの内部に入り込んでしまう。
【０００６】
本発明は、このような課題に鑑み、ライセンスランプからの光をライセンスプレートに確実に照射しつつ、室内側へのランプの光が漏れるのを低減する効果を有するとともに、バンパ本体への異物の混入を好適に防ぐことが可能な車両用リアバンパを提供することを目的としている。
【課題を解決するための手段】
【０００７】
上記課題を解決するために、本発明にかかる車両用リアバンパの代表的な構成は、車両のライセンスプレートに光を照射するライセンスランプを含む車両用リアバンパにおいて、車両後端部に固定され車幅方向に長手のバンパ本体と、バンパ本体の一部が車両前方に奥まるようにして形成されライセンスプレートが取り付けられるプレート固定部と、プレート固定部の上壁に形成された開口と、プレート固定部の上壁の前端から開口の上に張り出しライセンスランプが固定されるランプ固定部と、ランプ固定部の車幅方向の両端から連続していて開口の車幅方向外側まで延びる一対の第１遮蔽部であって、一対の第１遮蔽部の後端は開口の前後幅の中央よりも後方に位置する一対の第１遮蔽部と、前記バンパ本体から前記ランプ固定部及び第１遮蔽部に向かって車両前後方向に延びる突形状部とを含むことを特徴とする。
【発明の効果】
【０００８】
本発明によれば、ライセンスランプからの光をライセンスプレートに確実に照射しつつ、室内側へのランプの光が漏れるのを低減する効果を有するとともに、バンパ本体への異物の混入を好適に防ぐことが可能な車両用リアバンパを提供することができる。
【図面の簡単な説明】
【０００９】
【図１】本実施形態の車両用リアバンパの実施例を示す全体斜視図である。
【図２】図１の車両用リアバンパの車両中央近傍の拡大図である。
【図３】図１のリアバンパの車幅方向中央近傍の拡大図である。
【図４】図３のリアバンパの断面図である。
【図５】図１のランプ取付部材の詳細図である。
【発明を実施するための形態】
【００１０】
本発明の一実施の形態にかかる車両用リアバンパ構造は、車両のライセンスプレートに光を照射するライセンスランプを含む車両用リアバンパにおいて、車両後端部に固定され車幅方向に長手のバンパ本体と、バンパ本体の一部が車両前方に奥まるようにして形成されライセンスプレートが取り付けられるプレート固定部と、プレート固定部の上壁に形成された開口と、プレート固定部の上壁の前端から開口の上に張り出しライセンスランプが固定されるランプ固定部と、ランプ固定部の車幅方向の両端から連続していて開口の車幅方向外側まで延びる一対の第１遮蔽部であって、一対の第１遮蔽部の後端は開口の前後幅の中央よりも後方に位置する一対の第１遮蔽部と、前記バンパ本体から前記ランプ固定部および第１遮蔽部に向かって車両前後方向に延びる突形状部とを含むことを特徴とする。
【００１１】
上記構成によれば、プレート固定部の上壁に形成された開口によって、ライセンスランプからの光をライセンスプレートに確実に照射することができる。そして、一対の第１遮蔽部によって、開口が、その車幅方向の全域にわたり、また前後方向の少なくとも前半分にわたり、遮蔽されることにより、開口からのバンパ本体への異物の混入を好適に防ぐことが可能となる。また突形状部が形成されていることにより、バンパ本体への異物の混入を防ぐ効果を高めることが可能となる。
【００１２】
上記ランプ固定部は一対の第１遮蔽部よりも上方に位置し、当該車両用リアバンパは、ランプ固定部の車幅方向の両端から車幅方向外側にゆくほど下方に傾斜しながら一対の第１遮蔽部につながる一対の傾斜部と、一対の第１遮蔽部の車幅方向外側の縁から上方に向かって延びる一対の縦壁とを含むとよい。
【００１３】
かかる構成によれば、車両用リアバンパにおいて、傾斜部、第１遮蔽部および縦壁によって凹形状が形成される。これにより、万が一開口から異物が混入したとしても、それがライセンスランプ周辺に堆積しづらくなる。したがって、ライセンスランプへの異物の付着を低減することが可能となる。
【００１４】
当該車両用リアバンパは、一対の縦壁それぞれの上縁から車幅方向外側に向かって延びる一対の横壁と、一対の横壁から下方および前方に延びてバンパ本体に接する一対の第２遮蔽部とを含むとよい。これにより、万が一開口から異物が混入したとしても、車両用リアバンパ外への異物の移動を抑制することができる。したがって、異物がベンチレータを介して車室内に入り込むことを好適に防ぐことが可能となる。
【００１５】
上記開口の前後幅は、車幅方向の中央において最も大きく、中央から車幅方向外側に向かうにしたがって徐々に小さくなっていて、開口は、車両後方に向かって凸な山形形状であるとよい。これにより、開口を、ライセンスランプからの光をライセンスプレートに確実に照射するための最小面積とすることができる。したがって、バンパ本体の剛性の低下を抑制しつつ、必要な照射範囲を十分に確保することが可能となる。
【実施例】
【００１６】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
図１は、本実施形態の車両用リアバンパの実施例を示す全体斜視図であり、車両用リアバンパ（以下、リアバンパ１００と称する）を車両前方から観察した図（リアバンパ１００の背面側を観察した図）である。図１に示すように、本実施形態のリアバンパ１００は、バンパ本体１１０およびライセンスランプ１２０を含んで構成される。バンパ本体１１０は、車両後端部に固定される車幅方向に長手の部材であり、中央にプレート固定部１１２が形成されている。
【００１８】
図２は、図１の車両用リアバンパの車両中央近傍の拡大図であり、リアバンパ１００の車両中央を車両後方から観察した図（リアバンパ１００の表面側を観察した図）である。プレート固定部１１２は、バンパ本体１１０の一部が車両前方に奥まるようにして形成されていて、図２に示すように表面側にライセンスプレート１０２が取り付けられる。ライセンスランプ１２０は、このライセンスプレート１０２に光を照射する。図２に示すように、プレート固定部１１２の上壁１１４には、ライセンスランプ１２０の光が通過する開口１１６が形成されている。
【００１９】
図３は、図１のリアバンパ１００の車幅方向中央近傍の拡大図である。図１および図３に示すように、本実施例のリアバンパ１００では、バンパ本体１１０の背面側のプレート固定部１１２の上部にランプ取付部材１３０が取り付けられる。図５（ａ）および（ｂ）に示すように、ランプ取付部材１３０は、ライセンスランプ１２０が固定されるランプ固定部１３２を有し、ランプ固定部１３２にはランプ挿入穴１３２ａが形成されている。このランプ挿入穴１３２ａにライセンスランプ１２０を挿入することにより、図３に示す状態となる。
【００２０】
図４は、図３のリアバンパ１００の断面図である。図４（ａ）は、図３のリアバンパ１００のＡ−Ａ断面図であり、図４（ｂ）は、図３のリアバンパ１００のＢ−Ｂ断面図であり、図４（ｃ）は、図３のリアバンパ１００のＣ−Ｃ断面図である。図４（ａ）に示すように、ランプ取付部材１３０のランプ固定部１３２は、プレート固定部１１２の上壁１１４の開口１１６の上に張り出すようにしてバンパ本体１１０に取り付けられる。これにより、バンパ本体１１０の開口１１６の上方に１２０が配置され、ライセンスランプ１２０の光がライセンスプレート１０２に良好に照射される。
【００２１】
図５は、図１のランプ取付部材１３０の詳細図である。図５（ａ）は、ランプ取付部材１３０の全体斜視図であり、図５（ｂ）は、ランプ取付部材１３０の上面図である。図３および図５に示すように、本実施例のリアバンパ１００では、ランプ固定部１３２の左右には一対の第１遮蔽部１３４が形成されている。一対の第１遮蔽部１３４は、ランプ固定部１３２の車幅方向の両端から連続していて、開口１１６の車幅方向外側まで延びる部位である。そして、図４（ｂ）に示すように、一対の第１遮蔽部１３４の後端１３４ａは、開口１１６の前後幅Ｗ（図２参照）の中央よりも後方に位置する。
【００２２】
上記構成によれば、一対の第１遮蔽部１３４によって、開口１１６は、その車幅方向の全域にわたり、また前後方向の少なくとも前半分にわたり、遮蔽される。これにより、開口１１６からのバンパ本体１１０への異物の混入を好適に防ぐことが可能となる。このとき、第１遮蔽部１３４がプレート固定部１１２と一体に成型されていることにより、遮蔽部材をランプ固定部に別途組付ける必要がない。したがって、コストおよび組付け工数の削減を図ることが可能となる。
【００２３】
また図４（ａ）に示すように、バンパ本体１１０には、開口１１６の情報に位置し、バンパ本体１１０からランプ固定部１３２および第１遮蔽部１３４に向かって車両前後方向に延びる突形状部１１８が形成されている。これにより、ランプ固定部１３２とバンパ本体１１０の間の隙間を狭めることができ、室内側へのランプの光が漏れるのを低減する効果を有するとともに、開口１１６からのバンパ本体１１０への異物の混入を防ぐ効果を高めることが可能となる。
【００２４】
再度、図３を参照する。図３に示す通り、ランプ固定部１３２は一対の第１遮蔽部１３４よりも上方に位置する。そして、ランプ固定部１３２の車幅方向の両端には、車幅方向外側にゆくほど下方に傾斜しながら一対の第１遮蔽部１３４につながる一対の傾斜部１３６が設けられている。更に、一対の第１遮蔽部１３４の車幅方向外側には、その縁から上方に向かって延びる一対の縦壁１３８が設けられている。
【００２５】
上記構成によれば、車両用リアバンパにおいて、傾斜部１３６、第１遮蔽部１３４および縦壁１３８によって、開口１１６に対する凹形状が形成される。これにより、万が一開口１１６から異物が混入したとしても、それがライセンスランプ１２０周辺に堆積しづらくなる。したがって、ライセンスランプ１２０への異物の付着を低減することが可能となる。
【００２６】
また図３に示すように、凹形状の底面となる第１遮蔽部１３４は、後方に向かうにしたがって幅が狭くなる台形状である。これにより、開口１１６から異物が混入したとしても、その異物は後方、すなわち車外側に向かって集約される。したがって、車室側への異物の混入をより効果的に抑制することが可能となる。
【００２７】
更に、図３および図５に示すように、ランプ取付部材１３０は、横壁１４０および第２遮蔽部１４２を備える。横壁１４０は、一対の縦壁１３８それぞれの上縁から車幅方向外側に向かって延びる部位である。第２遮蔽部１４２は、横壁１４０から下方および前方に延びて、図４（ｃ）に示すようにバンパ本体１１０に接する。これにより、万が一開口１１６から異物が混入したとしても、リアバンパ１００外への異物の移動を抑制することができる。したがって、異物がベンチレータを介して車室内に入り込むことを好適に防ぐことが可能となる。
【００２８】
また本実施例では、図２に示す開口１１６は、前後幅Ｗは、車幅方向の中央において最も大きく、中央から車幅方向外側に向かうにしたがって徐々に小さくなっている。これにより、開口１１６は、車両後方に向かって凸な山形形状となる。これにより、開口１１６を、ライセンスランプ１２０からの光をライセンスプレート１０２に確実に照射するための最小面積とすることができる。したがって、バンパ本体１１０の剛性を低下を抑制しつつ、必要な照射範囲を十分に確保することが可能となる。
【００２９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３０】
本発明は、車両用リアバンパに利用することができる。
【符号の説明】
【００３１】
１００…リアバンパ、１０２…ライセンスプレート、１１０…バンパ本体、１１２…プレート固定部、１１４…上壁、１１６…開口、１１８…突形状部、１２０…ライセンスランプ、１３０…ランプ取付部材、１３２…ランプ固定部、１３２ａ…ランプ挿入穴、１３４…第１遮蔽部、１３６…傾斜部、１３８…縦壁、１４０…横壁、１４２…第２遮蔽部
【図１】
2020175861.tif 000003
【図２】
2020175861.tif 000004
【図３】
2020175861.tif 000005
【図４】
2020175861.tif 000006
【図５】
2020175861.tif 000007